(57)【要約】【課題】小さな体積に折り畳めると共に、生産性が高く、コストも低く抑えられる、自立式大型パネルを作ること。【解決手段】台紙を左右より折り曲げ、合わせ部を接着するパネルであって、折り曲げられた折込部端部同士に一定の支柱隙間を設け、かつ、支柱隙間を形成する台紙端部から一定の間隔で設けた隙間奥行きの範囲に、表示部裏面と折込部とで形成される非接着な平面隙間を有するパネルと、他の台紙を中央に折り曲げ、端部を左右に展開し、展開された端部で形成される挿入面が、パネルの平面隙間に嵌まり込む支柱からなることを特徴とする立ちパネルである。【選択図】図１
2014191170.tif 000002
【特許請求の範囲】
【請求項１】
台紙を左右より折り曲げ、合わせ部を接着するパネルであって、折り曲げられた折込部端部同士に一定の支柱隙間を設け、かつ、支柱隙間を形成する台紙端部から一定の間隔で設けた隙間奥行きの範囲に、表示部裏面と折込部とで形成される非接着な平面隙間を有するパネルと、
他の台紙を中央に折り曲げ、端部を左右に展開し、展開された端部で形成される挿入面が、パネルの平面隙間に嵌まり込む支柱からなることを特徴とする立ちパネル。
【請求項２】
パネルの右折込部と左折込部の折込部における平面隙間の隙間奥行きの和と、支柱の折り曲げ部が挿入される突起挿入幅との和は、支柱の挿入面の両端部で形成される支柱嵌め込み幅より大きくしたことを特徴とする請求項１に記載の立ちパネル。
【請求項３】
パネルの折込部端部に切り欠きを設けたことを特徴とする請求項１又は２に記載の立ちパネル。
【請求項４】
パネルが複数のパネルで構成され、支柱に順次挿入してなることを特徴とする請求項１〜３のいずれかに記載の立ちパネル。
【請求項５】
支柱の挿入面端部に面取りを設けたことを特徴とする請求項１〜４のいずれかに記載の立ちパネル。
【請求項６】
支柱を構成する台紙の中央折り曲げ線に対し、直角方向の折り罫線を設けたことを特徴とする請求項１〜５のいずれかに記載の立ちパネル。
【請求項７】
下端のパネルの一部に、左右の折り曲げ部を有しないスカート部を設けたことを特徴とする請求項１〜６のいずれかに記載の立ちパネル。
【請求項８】
下端のパネルの下側に、商品台を設けたことを特徴とする請求項１〜７のいずれかに記載の立ちパネル。
【請求項９】
パネル、及び支柱がダンボールで構成されたことを特徴とする請求項１〜８のいずれかに記載の立ちパネル。
【請求項１０】
複数で構成されるパネルの折り曲げ部に、段数を表す表示を設けたことを特徴とする請求項１〜９のいずれかに記載の立ちパネル。
【請求項１１】
支柱の下側に倒れ防止用の支柱重り用鍔を設けたことを特徴とする請求項１〜１０のいずれかに記載の立ちパネル。
【請求項１２】
スカートの下側に倒れ防止用のスカート鍔を設けたことを特徴とする請求項１〜１１のいずれかに記載の立ちパネル。
【発明の詳細な説明】
【技術分野】
【０００１】
本発明は、店頭広告などに使用されるパネルで、自立して立ち、解体、組み立てが容易である立ちパネルに関する。
【背景技術】
【０００２】
従来、自立させるパネルなどで、等身大の大きなダンボール製の店頭広告は、天地寸法が大きいことから、印刷用紙の寸法、印刷機の印刷可能寸法、後加工機械の加工可能寸法などから、上下二つのパネル構造になっていた。
その二つのパネルを接続させるために、複雑な構造になり、高いものになってしまっていた。
図２で示すように、一般的なパネル１９は、上下二枚のパネルの裏に強度のある裏貼り１９０が接着され、半折りされた状態で納入されていた。
このようなパネルは、パネル自身に腰の高い材質で製造される必要があり、かつ、裏面の裏貼り１９０や１８０度に開かせる接続部材１９１のつなぎ部分１９２も曲げ強度が必要で、厚紙を複数枚、合紙しなければならず、非常に高価になってしまっていた。
しかも、接続部材１９１や足３４の部分の加工では腰強度の必要で、相反する強度を必要にしているので、部分的に材質を変更するなど、組み立ても加工が複雑であり、手間の掛かり、生産性の低い商品となっていた。
【０００３】
文献１では、原材の中央縦折目の左右に縦長梯型の主片を配し、その各側方に縦折目を介して縦長梯型の側片を設け、該主片及び側片の下端に横折目と縦折目とで足片を形成し、而してこの原材を折込んで足が矩形で横断面がＴ形をなす先細の支柱を作り、該支柱に台片のＴ形穴を挿入して、この台片を足片に当接させ、台片の一方が開口した止縁内に中間片を挿入して、その矩形孔に足片を入れ、更に中間片の下で止縁内に底片を挿入して台紙を構成し、而して前記支柱の上端に切込を有する掛片を挿入して札片を掛止した組立式札立ち台の構造を提案している。
この方法は、充分に札片に腰がある場合のみ対応ができ、札片自体、重く、かさばってしまう、高価になってしまう、などの問題がある。また、札片は折り畳めないので、分解しても、小さくならないので、多くを一度に搬送したい時に不便である。
【０００４】
文献２では、紙製で折りたたむことのできる大きな三角形の筒を等身大ＰＯＰの本体を支える裏脚とし、細長い太さの異なる２本の三角形の筒をつないで等身大ＰＯＰの上半身と下半身をまっすぐに固定するためのジョイントとし、前記裏脚と前記ジョイントを」組み合わせてひとつの部品とするおりたたみ式等身大ＰＯＰ用の紙製ジョント付裏脚を提案している。おりたたみ線の入ったジョイントと裏脚の補強からなる裏脚を取り付けているので、容易に折りたたみられる。
しかし、太さの異なる２本の三角形の筒を使う上、裏脚なども使用するので、折り畳んでも体積を小さくできないと共に、生産コストも大きく、生産性も高くない問題があった。
【先行技術文献】
【特許文献】
【０００５】
【特許文献１】実公昭３５−２３９３２号公報
【特許文献２】実用新案第３０２４５３５号公報
【発明の概要】
【発明が解決しようとする課題】
【０００６】
上記問題に鑑みて、小さな体積に折り畳めると共に、生産性が高く、コストも低く抑え
られる、自立式大型パネルを作ることが本発明の課題である。
【課題を解決するための手段】
【０００７】
本発明の請求項１の立ちパネルは、台紙を左右より折り曲げ、合わせ部を接着するパネルであって、折り曲げられた折込部端部同士に一定の支柱隙間を設け、かつ、支柱隙間を形成する台紙端部から一定の間隔で設けた隙間奥行きの範囲に、表示部裏面と折込部とで形成される非接着な平面隙間を有するパネルと、
他の台紙を中央に折り曲げ、端部を左右に展開し、展開された端部で形成される挿入面が、パネルの平面隙間に嵌まり込む支柱からなることを特徴とする立ちパネルである。
【０００８】
本発明の請求項２の立ちパネルは、パネルの右折込部と左折込部の折込部における平面隙間の隙間奥行きの和と、支柱の折り曲げ部が挿入される突起挿入幅との和は、支柱の挿入面の両端部で形成される支柱嵌め込み幅より大きくしたことを特徴とする立ちパネルである。
【０００９】
本発明の請求項３の立ちパネルは、パネルの折込部端部に切り欠きを設けたことを特徴とする立ちパネルである。
【００１０】
本発明の請求項４の立ちパネルは、パネルが複数のパネルで構成され、支柱に順次挿入してなることを特徴とする立ちパネルである。
【００１１】
本発明の請求項５の立ちパネルは、支柱の挿入面端部に面取りを設けたことを特徴とする立ちパネルである。
【００１２】
本発明の請求項６の立ちパネルは、支柱を構成する台紙の中央折り曲げ線に対し、直角方向の折り罫線を設けたことを特徴とする立ちパネルである。
【００１３】
本発明の請求項７の立ちパネルは、下端のパネルの一部に、左右の折り曲げ部を有しないスカート部を設けたことを特徴とする立ちパネルである。
【００１４】
本発明の請求項８の立ちパネルは、下端のパネルの下側に、商品台を設けたことを特徴とする立ちパネルである。
【００１５】
本発明の請求項９の立ちパネルは、パネル、及び支柱がダンボールで構成されたことを特徴とする立ちパネルである。
【００１６】
本発明の請求項１０の立ちパネルは、複数で構成されるパネルの折り曲げ部に、段数を表す表示を設けたことを特徴とする立ちパネルである。
【００１７】
本発明の請求項１１の立ちパネルは、支柱の下側に倒れ防止用の支柱重り用鍔を設けたことを特徴とする立ちパネルである。
【００１８】
本発明の請求項１２の立ちパネルは、スカートの下側に倒れ防止用のスカート鍔を設けたことを特徴とする立ちパネルである。
【発明の効果】
【００１９】
本発明の立ちパネルは、低価格で軽いダンボール等を使用できるので、安価に製造できる。また、組み立て前の体積を小さくできるので、たくさんの立ちパネルセットを搬送できる。さらに、組み立ても容易で、複数のパネルに分けたり、商品台ともセットできるなど、自由に展開できるパネルである。
【図面の簡単な説明】
【００２０】
【図１】本発明の立ちパネルの外観図である。
【図２】従来技術で作成された立ちパネルの外観図である。
【図３】本発明の立ちパネルを一部分解した状態の外観図である。
【図４】本発明の立ちパネルのパネル部分の組み立て前の展開図と、組み立てた裏面側の正面図である。
【図５】本発明の立ちパネルの支柱部分の展開図と、それを中央で折り曲げた図である。
【図６】本発明の立ちパネルで、倒れ防止の支柱重り用鍔を追加した立ちパネルの外観図である。
【図７】本発明の倒れ防止の支柱重り用鍔を追加した立ちパネルの支柱部分の展開図と、それを中央と支柱重り用鍔根元で折り曲げた図である。
【図８】本発明の下パネルの下側を広幅にして、より倒れにくく改良した立ちパネルの外観図である。
【図９】本発明の下パネルの下側を、より倒れにくく改良した立ちパネルの、下パネルにおける組み立て前の展開図と、組み立てた下パネルの背面図、側面図である。
【発明を実施するための形態】
【００２１】
以下、本発明の立ちパネルの実施の形態例について、図を用いて詳細に説明する。
実施形態例に使用される立ちパネルは、図１−１、図１−２に示すように、台紙を左右より折り曲げ、合わせ部を接着するパネルであって、折り曲げられた折部端部同士に一定の支柱隙間を設け、かつ、支柱隙間から一定の間隔に非接着部を有する複数の下パネル１、及び上パネル２と、中央に突起部を設け、左右に平面を有し、平面が非接着部に嵌まり込む支柱３から構成されている。
図１−２の下パネル１の表示部１０下端にはスカート部１６が設けられ、また、図１−３のように、表示部１０の下端には商品台１７と接続されるようにすることもできる。
もちろん、スカート部１６がないものでもかまわない。
【００２２】
図３は、本発明の立ちパネルのそれぞれの部品を組み立てる直前の分解図である。
上パネル２裏面は、左から右折込部１１、右から左折込部１２が折込まれ、その右折込部１１と左折込部１２との間に一定の間隔を持った支柱隙間１３が設けられている。
しかも、右折込部１１や左折込部１２と、パネル表記部とが合わす部分には平面隙間１４があって、支柱３の左右に設けられた挿入面３２が挿入できるようになっている。
また、この支柱隙間１３の上端、または下端近傍に、切り欠き部１５が設けられている。さらに、折込部１１の下端には、パネル番号１８が記載されている。
立ちパネルのパネルは、このパネル番号を組み立て順序として、だれにでも容易に組み立てられるように提供できる。
【００２３】
図３の支柱３は、中央に突起部３１を設け、左右に挿入面３２を有している。
突起部３１は、通常、上になる部分の突起は低く、下側の突起は高くすることで、安定して立てることができるように設計されている。
さらに、左右に設けた挿入面３２には、上端の上面取り３２１と、下端の下面取り３２２が左右、同じように作られている。この挿入部３２は、パネル１の支柱隙間１３や平面隙間１４に挿入しやすいように設けられていると共に、パネル１やパネル２があまり移動してしまわないよう、平面隙間１４に比べ厚めに設計させておく。
【００２４】
図４−１は、パネル２の展開図である。右折込線１１２、左折込線１２２で裏側を内側にするように折り込む。パネルの右折込部１１と左折込部１２の内側の面には、右接着部１１１、左接着部１２１が設けられている。この接着部は、両面テープのようなものでも良いし、ホットメルトであってもかまわない。もちろん、通常の接着剤でもかまわないが
、できるだけ、ゴム成分を含み、厚みのある接着層が好ましい。
そして、非接着部は、端部と接着部との間に一定の間隔である隙間奥行き１４１が設けられ、接着部が接着された時、この非接着部の隙間奥行き１４１の隙間は、支柱３の平面３２の厚みよりも狭い隙間にして、滑って動いたりしないよう、摩擦抵抗が掛かるようにしておくことが好ましい。
図４−２はパネル２の折込部を折り込んだ平面図である。右折込部１１と左折込部１２の折込部における平面隙間１４の隙間奥行き１４１の和と突起部３１の突起挿入幅３１１との和は、支柱３の支柱嵌め込み幅３０より大きくすることが必要である。
パネル２との場合に比べ、パネル１の違いは、切り欠き部１５の位置が変わる点である。また、表示部１０の下側にスカート部１６などが設けられることもある。
【００２５】
図５−１は、支柱３の展開図である。左右の突起折込線３１０を折ると、突起３１になる。また、左右の平面部折込線３２０を折ると、挿入面３２が形成される。
突起形成部３１１の形状は、上側に狭く、下側に広い台形形状をしており、挿入面３２の形状は、平行四辺形の２つの隅に面取りをした形状になっている。突起部３１の面は長方形である。
突起部３１の長手方向に直角に、突起部３１の中央に設けられた折線は、収納折り曲げ線３３である。
図５−２は、収納折り曲げ線３３を折り曲げ、支柱の長さを半減して収納する形態になった状態を示している。収納折り曲げ線３３で折り曲げるが、この収納折り曲げ線３３は、展開図では直線であるが、支柱３に組み上げた場合、直線ではなくなるので、強度が著しく低下しない。また、この部分が一部パネルの平面隙間１４に入るので、補強効果も生まれるなど、非常にメリットが大きい。
【００２６】
図６−１、図６−２は、倒れ防止の支柱重り用鍔３５を追加した立ちパネルの外観図で、裏側から見た図６−１と、表側から見た図６−２である。
支柱重り用鍔３５には、重り４を乗せて、風などによる倒れを防止することが可能になる。また、図６−３のように、スカート部１６の上に重り４の代わりに商品台を乗せても良い。
支柱重り用鍔３５の場合も、スカート部１６の場合も、重りを置く位置は、折り曲げた根元に近い方が好ましい。
【００２７】
図７−１は、倒れ防止の支柱重り用鍔３５を追加した立ちパネルの支柱部分の展開図で、図７−２は、支柱中央と支柱重り用鍔３５根元で折り曲げた図である。
展開図で示すように、倒れ防止用の改良点は、単に支柱根元側の左右に鍔を設けたもので、折り畳む時は、そのまま支柱中央と支柱重り用鍔３５根元で折り畳め、半分以下の面積になる。
【００２８】
図８−１、図８−２は、下パネルの下側を広幅にして、床に突き刺すような形状にして、倒れ防止をより改良した立ちパネルで、表側と裏側絡みえる斜視図で示したものである。
図１−２のように、下側にスカート部１６を設けると、表示部によっては、立体的に見えやすくなり、臨場感が増大し、訴えやすくなるが、図８−２のように、下パネルの下側を広幅にして、床に突き刺すような形状にして、スカート部１６を傾斜面にすることで、より目立ち、見る者に迫る勢いで訴えることができる。
【００２９】
図８−３、図８−４は、下パネルにスカート部１６を設け、そのスカート部１６の下側を広幅にして、スカート部を斜め前に出すような形状とし、さらに、そのスカート部下側にスカート鍔１６１を設け、スカート鍔１６１に重り４を乗せて、より倒れにくくした立ちパネルである。
この立ちパネルは、視覚上の見栄えも向上すると共に、下に突き刺すような場所がなくても、重りをスカートの裏側に潜ますことで、より倒れ防止性を向上させたものである。
【００３０】
図９−１は、図８−３、図８−４のスカート部１６の下側を広幅にし、さらに、そのスカート部下側にスカート鍔１６１を設け、より倒れにくくした立ちパネル用の下パネル展開図で、図９−２、図９−３は、その下パネルを組み立てた背面図と側面図である。
この下パネルは、単に表示部の下側に台形のスカート部１６を設け、その下側に長方形のスカート鍔１６１を設けただけのものである。
組み立てた場合、支柱３の挿入面３２が挿入される平面隙間１４がの長さは短くなるが、平面隙間１４や、平面隙間が形成されている隙間奥行き１４１や突起挿入幅３１１が、大きくなりすぎないようにすることによって、より丈夫で、倒れにくい立ちパネルにすることができる。
【００３１】
本発明の応用例を図１に図示したように、
図１−１は本発明の基本的な立ちパネルである。
図１−２は、スカート部１６を有する下パネル１を組み立てた例である。下側にスカート部１６を設けると、表示部によっては、立体的に見えやすくなり、臨場感が増大し、訴えやすくなる。
図１−３は、商品台を下パネル１に合わせた立ちパネルの一例である。商品が身近で手に取れるので、そのまま商品の販売に繋げやすい。
また、図６−１、図６−２、図６−３、図８−１、図８−２、図８−３、図８−４は、それらに、スカート鍔１６１や支柱重り用鍔３５を設け、そこに重り４を乗せて、倒れにくくしたものである。
【００３２】
本発明の立ちパネルは以上のようなものであるが、下パネル１、上パネル２、支柱３の素材は、厚紙、ダンボール、または、それらの表側に印刷した紙やフィルムなどを貼り合わせたもので、安価で強度があるダンボールを使用できるメリットがある。
折り曲げ線は刃先が丸められたビク刃で押すことで、外形を切り出すプレスの時に、同時に加工でき、特に難しい細工がされた加工は必要がない。
下パネル１、上パネル２の組み立ては、それぞれ、折込線１６の部分で内側に折込だけで右接着部１１１、左接着部１２１も接着し、容易に組み立てができて、分解した後もそのまま保管できる。
また、支柱３も、突起折込線３１０で山折し、左右の挿入面折込線３２０を谷折りすれば、組み立てができる。
下パネル１、上パネル２と、支柱３の３点を組むのは、単に、下記順序で組み立てる。
すなわち、パネル番号１８が１番の下パネルを取り出し、支柱の挿入面３２下側を、下パネル１の切り欠き部１５に差込み、そのまま挿入面３２をパネルの平面隙間１４に挿入し、支柱３の支柱根元が、支柱隙間１３に沿って挿入させる。
パネル番号１８が２番の下パネルを取り出し、支柱の挿入面３２上側を、上パネル２の切り欠き部１５に差込み、そのまま平面部３２をパネルの平面隙間１４に挿入し、支柱３の支柱根元が、支柱隙間１３に沿って挿入させる。
下パネル１、上パネル２の絵柄合わせは、隙間奥行き１４１に設けた多少の余裕があるので、この余裕寸法で簡単に調整することができる。
もちろん、パネルは上下の二つだけではなく、三枚以上合わせるタイプにすることも可能であり、柔軟に対応できる。
【００３３】
本発明の立ちパネルは、以上の様なもので、安価な材料を使用でき、安価なビク刃でのプレス加工で加工でき、かつ、簡単な組み立て工程で作成できると共に、分解した場合でもがさばらなく、小さく収納できる。
しかも、裏面側に折り込む外側面にパネル番号を記載できるので、表面の印刷と同じ工程
でできるので、価格の上乗せがなく対応できるほか、下パネル１にスカートを付けたり、商品台を設置するなどの応用も容易で、かつ、倒れ防止の鍔を容易に付けられるので、掲示する内容や設置状況に合わせた臨機応変の対応が可能になるなどメリットが大きい。
【符号の説明】
【００３４】
１・・・・・・・・・下パネル
１０・・・・・・・・表示部
１１・・・・・・・・右折込部
１１１・・・・・・・右接着部
１１２・・・・・・・右折込線
１２・・・・・・・・左折込部
１２１・・・・・・・左接着部
１２２・・・・・・・左折込線
１３・・・・・・・・支柱隙間
１４・・・・・・・・平面隙間
１４１・・・・・・・隙間奥行き
１５・・・・・・・・切り欠き部
１６・・・・・・・・スカート部
１６１・・・・・・・スカート鍔
１７・・・・・・・・商品台
１８・・・・・・・・パネル番号
１９・・・・・・・・パネル（従来形状）
１９０・・・・・・・裏貼り
１９１・・・・・・・接続部材
１９２・・・・・・・つなぎ部分
２・・・・・・・・・上パネル
３・・・・・・・・・支柱
３０・・・・・・・・支柱嵌め込み幅
３１・・・・・・・・突起部
３１０・・・・・・・突起折込線
３１１・・・・・・・突起挿入幅
３２・・・・・・・・挿入面
３２０・・・・・・・挿入面折込線
３２１・・・・・・・上面取り部
３２２・・・・・・・下面取り部
３３・・・・・・・・折り曲げ線
３４・・・・・・・・足
３５・・・・・・・・支柱重り用鍔
４・・・・・・・・・重り
【図１】
2014191170.tif 000003
【図３】
2014191170.tif 000004
【図４】
2014191170.tif 000005
【図５】
2014191170.tif 000006
【図７】
2014191170.tif 000007
【図９】
2014191170.tif 000008
【図２】
2014191170.tif 000009
【図６】
2014191170.tif 000010
【図８】
2014191170.tif 000011